(57)【特許請求の範囲】
【請求項１】
各々の前記移動機が現に在圏しているロケーションエリアを管轄する交換機から送信されてくるエリア変更通知に基づいた、当該移動機が在圏しているロケーションエリアの交換機を示す在圏エリア情報と、当該移動機を指定したＬＲ登録要求をロケーションレジスタに対して送信した交換機として、当該移動機から自交換機に送信されてきた端末位置登録要求に含まれる交換機識別情報によって特定される登録実行交換機を示す登録実行交換機情報とが対応付けられて記述された位置管理テーブルをそれぞれ記憶する複数の交換機と、前記ロケーションレジスタとを具備する移動通信網において各移動機の位置登録を行う方法であって、
各々の前記交換機は、自交換機のロケーションエリアに移動してきた前記移動機によって送信される端末位置登録要求を受信すると、当該移動機を指定したＬＲ登録要求をロケーションレジスタに対して送信した交換機として他交換機が前記位置登録テーブルに記述されており、かつ、自交換機のロケーションエリアに在圏する移動機に共通の登録実行時間の計時を未だ開始していない場合には、当該登録実行時間の計時を開始し、当該交換機において規定される登録実行タイミングが到来すると、自交換機のロケーションエリアに在圏する移動機を指定したＬＲ登録要求を前記ロケーションレジスタに対して送信する一方、
前記ロケーションレジスタが、前記ＬＲ登録要求に基づき、各移動機について、当該移動機を指定したＬＲ登録要求の送信元である交換機を示す位置登録情報を記憶する
ことを特徴とする位置登録方法。
【請求項２】
各移動機について、当該移動機を指定したＬＲ登録要求の送信元である交換機を示す位置登録情報を記憶するロケーションレジスタとの間で通信可能な交換機であって、
各々の前記移動機が現に在圏しているロケーションエリアを管轄する交換機から送信されてくるエリア変更通知に基づいた、当該移動機が在圏しているロケーションエリアの交換機を示す在圏エリア情報と、当該移動機を指定したＬＲ登録要求をロケーションレジスタに対して送信した交換機として、当該移動機から自交換機に送信されてきた端末位置登録要求に含まれる交換機識別情報によって特定される登録実行交換機を示す登録実行交換機情報とが対応付けられて記述された位置管理テーブルを記憶した記憶手段と、
自交換機のロケーションエリアに移動してきた前記移動機によって送信される端末位置登録要求を受信すると、当該移動機を指定したＬＲ登録要求をロケーションレジスタに対して送信した交換機として他交換機が前記位置登録テーブルに記述されており、かつ、自交換機のロケーションエリアに在圏する移動機に共通の登録実行時間の計時を未だ開始していない場合には、当該登録実行時間の計時を開始し、自交換機において規定されている登録実行タイミングが到来すると、自交換機のロケーションエリアに在圏する移動機を指定したＬＲ登録要求を、前記ロケーションレジスタに対して送信する制御手段と
を具備することを特徴とする交換機。
【請求項３】
各移動機について、当該移動機を指定したＬＲ登録要求の送信元である交換機を示す位置登録情報を記憶するロケーションレジスタとの間で通信可能な交換機であって、
自交換機のロケーションエリアに移動してきた前記移動機によって送信される端末位置登録要求を受信すると、自交換機のロケーションエリアに在圏する移動機に共通の登録実行時間の計時を開始し、自交換機において規定されている登録実行タイミングが到来した場合に、自交換機のロケーションエリアに在圏する移動機を指定したＬＲ登録要求を、前記ロケーションレジスタに対して送信する制御手段と、
自交換機がロケーションレジスタに送信したＬＲ登録要求において指定した移動機について、当該移動機が現に在圏しているロケーションエリアを管轄する交換機から送信されてくるエリア変更通知に基づいて、当該移動機が現に在圏しているロケーションエリアに対応する在圏エリア情報を記憶する記憶手段とを具備し、
前記制御手段は、自交換機が前記ＬＲ登録要求において指定した移動機に対する着信要求を受信した場合、前記在圏エリア情報に基づいて当該移動機が現に在圏しているロケーションエリアに対応する交換機を特定し、特定した交換機に対して前記着信要求を送信する
ことを特徴とする交換機。
【請求項４】
各々の前記移動機が現に在圏しているロケーションエリアを管轄する交換機から送信されてくるエリア変更通知に基づいた、当該移動機が現に在圏しているロケーションエリアの交換機を示す在圏エリア情報と、当該移動機を指定したＬＲ登録要求をロケーションレジスタに対して送信した交換機として、当該移動機から自交換機に送信されてきた端末位置登録要求に含まれる交換機識別情報によって特定される登録実行交換機を示す登録実行交換機情報とが対応付けられた位置管理テーブルを記憶する記憶手段を具備し、
前記制御手段は、前記記憶手段に記憶された位置管理テーブルの内容を参照することにより各移動機の登録状態を判別し、各々の移動機についてその登録状態に応じた処理を実行することを特徴とする請求項３に記載の交換機。
【請求項５】
前記制御手段は、前記記憶手段に記憶された位置管理テーブルにおいて在圏エリア情報および登録実行交換機情報の双方が自交換機を示している移動機について、
当該移動機が他交換機のロケーションエリアに移動すると当該移動先ロケーションエリアの他交換機から自交換機に送信されてくるエリア変更通知に基づいて、当該移動先ロケーションエリアの他交換機を特定し、前記位置管理テーブルにおける当該移動機の登録実行交換機情報を当該移動先ロケーションエリアの他交換機に送信する一方、当該移動機の在圏エリア情報を当該移動先ロケーションエリアの他交換機を示す情報に変更することを特徴とする請求項４に記載の交換機。
【請求項６】
前記制御手段は、前記記憶手段に記憶された位置管理テーブルにおいて在圏エリア情報および登録実行交換機情報の双方が自交換機を示している移動機について、
当該移動機が他交換機のロケーションエリアに移動した後、自交換機のロケーションエリアに戻ることなく消去指定時間が経過した場合、当該移動機についての在圏エリア情報および登録実行交換機情報を消去することを特徴とする請求項４または５に記載の交換機。
【請求項７】
前記制御手段は、前記記憶手段に記憶された位置管理テーブルにおいて、在圏エリア情報が自交換機を示し、かつ登録実行交換機情報が他交換機を示している移動機について、
当該移動機が他交換機のロケーションエリアに移動すると当該移動先ロケーションエリアの他交換機から自交換機に送信されてくるエリア変更通知に基づいて、当該移動先ロケーションエリアの他交換機を特定し、前記位置管理テーブルにおける当該移動機の登録実行交換機情報を、当該移動先ロケーションエリアの他交換機に対して送信する一方、当該移動機についての登録実行交換機たる他交換機に対して当該移動先ロケーションエリアの他交換機を示す情報を送信することを特徴とする請求項４ないし６のいずれかに記載の交換機。
【請求項８】
前記制御手段は、前記記憶手段に記憶された位置管理テーブルにおいて、在圏エリア情報が他交換機を示し、かつ登録実行交換機情報が自交換機を示している移動機について、
当該移動機が自交換機のロケーションエリアに移動した場合、前記位置管理テーブルにおける当該移動機の在圏エリア情報を自交換機を示す情報に変更する一方、当該移動機についての登録実行交換機が他交換機であるときには、当該移動機の登録実行交換機情報を、当該他交換機を示す情報に変更することを特徴とする請求項４ないし７のいずれかに記載の交換機。
【請求項９】
前記制御手段は、前記記憶手段に記憶された位置管理テーブルにおいて在圏エリア情報および登録実行交換機情報の双方が消去されている移動機について、
当該移動機が自交換機のロケーションエリアに移動した場合、前記位置管理テーブルにおける当該移動機の在圏エリア情報を、自交換機を示す情報に変更するとともに、当該移動機の登録実行交換機情報を、当該移動機についての登録実行交換機を示す情報に変更することを特徴とする請求項４ないし８のいずれかに記載の交換機。
【請求項１０】
前記制御手段は、前記記憶手段に記憶された位置管理テーブルにおいて在圏エリア情報および登録実行交換機情報の双方が消去されている移動機について、
当該移動機が自交換機のロケーションエリアに移動して送信する端末位置登録要求を受信し、かつ前記登録実行時間の計時を未だ開始していない場合に、当該登録実行時間の計時を開始することを特徴とする請求項４ないし９のいずれかに記載の交換機。
【請求項１１】
各移動機について当該移動機を指定したＬＲ登録要求の送信元である交換機を示す位置登録情報を記憶するロケーションレジスタに対し、自交換機のロケーションエリアに在圏する移動機を指定した前記ＬＲ登録要求を送信可能な交換機であって、
各々の前記移動機が現に在圏しているロケーションエリアを管轄する交換機から送信されてくるエリア変更通知に基づいた、当該移動機が在圏しているロケーションエリアの交換機を示す在圏エリア情報と、当該移動機を指定したＬＲ登録要求をロケーションレジスタに対して送信した交換機として、当該移動機から自交換機に送信されてきた端末位置登録要求に含まれる交換機識別情報によって特定される登録実行交換機を示す登録実行交換機情報とが対応付けられて記述された位置管理テーブルを記憶する記憶手段と、
前記記憶手段に記憶された位置管理テーブルの内容を参照することにより各移動機の登録状態を判別し、各々の移動機についてその登録状態に応じた処理を実行する制御手段とを具備することを特徴とする交換機。
【請求項１２】
各移動機が在圏しているロケーションエリアの交換機を示す在圏エリア情報と、当該移動機を指定したＬＲ登録要求をロケーションレジスタに対して送信した交換機である登録実行交換機を示す登録実行交換機情報とが対応付けられて記述された位置管理テーブルをそれぞれ記憶する複数の交換機と、前記ロケーションレジスタとを含む移動通信網であって、
各々の前記交換機は、自交換機のロケーションエリアに移動してきた前記移動機によって送信される端末位置登録要求を受信すると、当該移動機を指定したＬＲ登録要求をロケーションレジスタに対して送信した交換機として他交換機が前記位置登録テーブルに記述されており、かつ、自交換機のロケーションエリアに在圏する移動機に共通の登録実行時間の計時を未だ開始していない場合には、当該登録実行時間の計時を開始し、前記登録実行タイミングが到来すると、自交換機のロケーションエリアに在圏する移動機を指定したＬＲ登録要求を前記ロケーションレジスタに対して送信し、
前記ロケーションレジスタは、前記ＬＲ登録要求に基づき、各移動機について、当該移動機を指定したＬＲ登録要求の送信元である交換機を示す位置登録情報を記憶する
ことを特徴とする移動通信網。
【発明の詳細な説明】
【０００１】
【発明の属する技術分野】
本発明は、位置登録方法、交換機および移動通信網に関する。
【０００２】
【従来の技術】
周知のように、移動通信サービスにおいては、携帯電話機等の移動機がどこに所在していても着信できるように、各移動機が在圏するロケーションエリアをロケーションレジスタに登録しておくのが一般的である。具体的には、移動通信サービスの提供エリアが複数のロケーションエリアに分割されており、移動機が一のロケーションエリアから他のロケーションエリアに移動すると、当該移動機から位置登録要求が送信される。ロケーションレジスタは、こうして各移動機から送信された位置登録要求に応じて、当該移動機について登録されたロケーションエリアを順次更新するのである。
【０００３】
【発明が解決しようとする課題】
しかしながら、多数の移動機の各々から位置登録要求が送信されるたびに、ロケーションレジスタはこれに応じて各移動機についての登録内容を更新する必要があったため、ロケーションレジスタに極めて大きい負荷がかかるという問題があった。特に、携帯電話機等の移動機が爆発的な勢いで普及しつつある近年において、かかる問題は極めて深刻である。
【０００４】
本発明は、以上説明した事情に鑑みてなされたものであり、ロケーションレジスタにかかる位置登録処理のための負荷を、有効に軽減することができる位置登録方法、交換機および移動通信網を提供することを目的としている。
【０００５】
【課題を解決するための手段】
上述した課題を解決するために、本発明は、各々の前記移動機が現に在圏しているロケーションエリアを管轄する交換機から送信されてくるエリア変更通知に基づいた、当該移動機が在圏しているロケーションエリアの交換機を示す在圏エリア情報と、当該移動機を指定したＬＲ登録要求をロケーションレジスタに対して送信した交換機として、当該移動機から自交換機に送信されてきた端末位置登録要求に含まれる交換機識別情報によって特定される登録実行交換機を示す登録実行交換機情報とが対応付けられて記述された位置管理テーブルをそれぞれ記憶する複数の交換機と、前記ロケーションレジスタとを具備する移動通信網において各移動機の位置登録を行う方法であって、各々の前記交換機は、自交換機のロケーションエリアに移動してきた前記移動機によって送信される端末位置登録要求を受信すると、当該移動機を指定したＬＲ登録要求をロケーションレジスタに対して送信した交換機として他交換機が前記位置登録テーブルに記述されており、かつ、自交換機のロケーションエリアに在圏する移動機に共通の登録実行時間の計時を未だ開始していない場合には、当該登録実行時間の計時を開始し、当該交換機において規定される登録実行タイミングが到来すると、自交換機のロケーションエリアに在圏する移動機を指定したＬＲ登録要求を前記ロケーションレジスタに対して送信する一方、前記ロケーションレジスタが、前記ＬＲ登録要求に基づき、各移動機について、当該移動機を指定したＬＲ登録要求の送信元である交換機を示す位置登録情報を記憶することを特徴としている。
【０００６】
また、上述した課題を解決するため、本発明は、各移動機について、当該移動機を指定したＬＲ登録要求の送信元である交換機を示す位置登録情報を記憶するロケーションレジスタとの間で通信可能な交換機であって、各々の前記移動機が現に在圏しているロケーションエリアを管轄する交換機から送信されてくるエリア変更通知に基づいた、当該移動機が在圏しているロケーションエリアの交換機を示す在圏エリア情報と、当該移動機を指定したＬＲ登録要求をロケーションレジスタに対して送信した交換機として、当該移動機から自交換機に送信されてきた端末位置登録要求に含まれる交換機識別情報によって特定される登録実行交換機を示す登録実行交換機情報とが対応付けられて記述された位置管理テーブルを記憶した記憶手段と、自交換機のロケーションエリアに移動してきた前記移動機によって送信される端末位置登録要求を受信すると、当該移動機を指定したＬＲ登録要求をロケーションレジスタに対して送信した交換機として他交換機が前記位置登録テーブルに記述されており、かつ、自交換機のロケーションエリアに在圏する移動機に共通の登録実行時間の計時を未だ開始していない場合には、当該登録実行時間の計時を開始し、自交換機において規定されている登録実行タイミングが到来すると、自交換機のロケーションエリアに在圏する移動機を指定したＬＲ登録要求を、前記ロケーションレジスタに対して送信する制御手段とを具備することを特徴としている。
また、本発明は、各移動機について、当該移動機を指定したＬＲ登録要求の送信元である交換機を示す位置登録情報を記憶するロケーションレジスタとの間で通信可能な交換機であって、自交換機のロケーションエリアに移動してきた前記移動機によって送信される端末位置登録要求を受信すると、自交換機のロケーションエリアに在圏する移動機に共通の登録実行時間の計時を開始し、自交換機において規定されている登録実行タイミングが到来した場合に、自交換機のロケーションエリアに在圏する移動機を指定したＬＲ登録要求を、前記ロケーションレジスタに対して送信する制御手段と、自交換機がロケーションレジスタに送信したＬＲ登録要求において指定した移動機について、当該移動機が現に在圏しているロケーションエリアを管轄する交換機から送信されてくるエリア変更通知に基づいて、当該移動機が現に在圏しているロケーションエリアに対応する在圏エリア情報を記憶する記憶手段とを具備し、前記制御手段は、自交換機が前記ＬＲ登録要求において指定した移動機に対する着信要求を受信した場合、前記在圏エリア情報に基づいて当該移動機が現に在圏しているロケーションエリアに対応する交換機を特定し、特定した交換機に対して前記着信要求を送信することを特徴としている。
【０００８】
ここで、ロケーションレジスタにおける登録内容と、現実の移動機の状況（移動機が在圏するロケーションエリア）とが一致しない状態が生じ得る場合には、交換機を以下の構成とすることが考えられる。すなわち、各移動機について当該移動機を指定したＬＲ登録要求の送信元である交換機を示す位置登録情報を記憶するロケーションレジスタに対し、自交換機のロケーションエリアに在圏する移動機を指定した前記ＬＲ登録要求を送信可能な交換機において、各移動機について、当該移動機が現に在圏しているロケーションエリアの交換機を示す在圏エリア情報と、当該移動機を指定したＬＲ登録要求を前記ロケーションレジスタに対して送信した交換機を示す登録実行交換機情報とが対応付けられた位置管理テーブルを記憶する記憶手段と、前記記憶手段に記憶された位置管理テーブルの内容を参照することにより各移動機の登録状態を判別し、各々の移動機についてその登録状態に応じた処理を実行する制御手段とを設けた構成を採ることが望ましい。
【０００９】
【発明の実施の形態】
以下、図面を参照して、本発明の実施形態について説明する。かかる実施の形態は、本発明の一態様を示すものであり、この発明を限定するものではなく、本発明の範囲内で任意に変更可能である。
【００１０】
＜Ａ：実施形態の構成＞
図１は、本発明に係る移動通信システムの全体構成を示すブロック図である。同図に示すように、この移動通信システムは、移動通信網１００と複数の移動機２００とを含む。移動通信網１００は、当該移動通信網１００の通信サービスエリア内に在圏する各移動機２００に対して移動通信サービス（例えば音声通信サービス）を提供するネットワークであり、ロケーションレジスタ（ＬＲ）１３、複数の無線基地局１１ならびに複数の交換機１２（図１においては１２Ａ、１２Ｂおよび１２Ｃのみが図示されている。）を含む。一方、各移動機２００は、任意に移動可能な通信端末であり、例えば携帯電話機等である。なお、図１においては、図面が煩雑になるのを防ぐため、６台の無線基地局１１と、３台の交換機１２と、１台のロケーションレジスタ１３と、２台の移動機２００のみが図示されているが、実際にはより多数の無線基地局１１、交換機１２、ロケーションレジスタ１３および移動機２００が存在する。
【００１１】
複数の無線基地局１１は、相互に所定の間隔を隔てて配置されており、各々が無線エリア１１０を形成する。各無線エリア１１０は、各移動機２００が無線基地局１１との間で無線通信が可能なエリア（つまり、無線基地局１１からの電波が到達するエリア）である。
【００１２】
各交換機１２は、１ないし複数の無線基地局１１と接続されている。図１に示すように、各交換機１２は、当該交換機１２に接続された１以上の無線基地局１１の各々が形成する無線エリア１１０を含むロケーションエリア１２０を管轄する。すなわち、複数の交換機１２の各々について、１以上の無線エリア１１０を含むロケーションエリア１２０が画定される。このような構成の下、各交換機１２は、当該交換機１２が管轄するロケーションエリア１２０内に在圏する各移動機２００からの着信要求や、これらの各移動機２００に対する着信要求に応じて呼接続処理を行う。なお、以下では、説明の便宜上、１つの交換機１２がひとつのロケーションエリア１２０を管轄するものとし、図１に示すように、交換機１２Ａがロケーションエリア１２０Ａを管轄し、交換機１２Ｂがロケーションエリア１２０Ｂを管轄し、交換機１２Ｃがロケーションエリア１２０Ｃを管轄する場合を例示する。ただし、交換機１２が管轄するロケーションエリア１２０の数はひとつに限られるものではなく、各交換機１２が、相互に離間した複数のロケーションエリア１２０を管轄するようにしてもよい。また、図１においては、各交換機１２に２つの無線基地局１１がそれぞれ接続されている場合を例示しているが、各交換機１２に接続される無線基地局１１の数をこれに限定する趣旨ではない。
【００１３】
また、各交換機１２は、当該交換機１２に接続された１以上の無線基地局１１に対して、当該交換機１２に一意に割り当てられた識別情報（以下、「交換機ＩＤ」という。）を随時送信する。この交換機ＩＤを受信した無線基地局１１は、各々が形成する無線エリア１１０に在圏する移動機２００に対して当該交換機ＩＤを送信する。すなわち、あるロケーションエリア１２０内に位置する移動機２００に対して、当該ロケーションエリア１２０を管轄する交換機１２の交換機ＩＤが通知されることとなる。もっとも、各移動機２００に対して送信される情報は、当該移動機２００が在圏しているロケーションエリア１２０またはこれを管轄する交換機１２を特定できる情報であればよく、交換機ＩＤに限られるものではない。
【００１４】
各移動機２００は、当該移動機２００が在圏するロケーションエリア１２０を管轄する交換機１２から交換機ＩＤを受信し、これを内部の記憶装置（例えばＲＡＭ（Read Only Memory）等）に記憶するようになっている。そして、移動機２００は、当該移動機２００が現に在圏するロケーションエリア１２０の交換機１２から受信した交換機ＩＤと、記憶装置に記憶された交換機ＩＤとを比較し、双方の交換機ＩＤが一致する場合には当該移動機２００がロケーションエリア１２０を跨いだ移動を行っていないと判定する一方、異なっている場合には当該移動機２００が一のロケーションエリア１２０から他のロケーションエリア１２０に移動した（つまり、ロケーションエリア１２０間を跨いで移動した）と判定できるようになっている。そして、移動機２００は、その所持者の移動に伴って一のロケーションエリア１２０から他のロケーションエリア１２０に移動した場合、当該移動機２００に関する位置登録を行うべき旨を表す端末位置登録要求を移動通信網１００に対して送信する。この端末位置登録要求には、移動機２００が移動前に在圏していたロケーションエリア１２０を管轄する交換機１２の交換機ＩＤが含まれている。
【００１５】
次に、ロケーションレジスタ１３は、ホームメモリ１３１を有している。このホームメモリ１３１には、位置登録テーブルが記憶される。図２は、位置登録テーブルの内容を例示する図である。同図に示すように、この位置登録テーブルは、移動機ＩＤと登録エリア情報とが対応付けられたテーブルである。このうち移動機ＩＤは、移動通信網１００による移動通信サービスの提供を受ける移動機２００の各々に対して一意に割り当てられた識別情報であり、例えば各移動機２００の電話番号である。
【００１６】
ここで、本実施形態においては、移動機２００から端末位置登録要求が送信されるたびに（つまり、移動機２００がロケーションエリア１２０を跨いだ移動を行うたびに）これがロケーションレジスタ１３によって受信されるわけではなく、各交換機１２が、当該交換機１２において規定される登録実行タイミング（詳細は後述する）が到来した場合に、当該交換機１２が管轄するロケーションエリア１２０に在圏する１ないし複数の移動機２００を登録対象として指定したＬＲ登録要求を、ロケーションレジスタ１３に対して送信するようになっている。そして、位置登録テーブルにおいては、各移動機ＩＤに対応付けられた登録エリア情報として、当該移動機２００を登録対象として指定したＬＲ登録要求をロケーションレジスタ１３に対して送信した交換機１２の交換機ＩＤが記憶されるようになっている。例えば、図２に示す位置登録テーブルにおいては、移動機２００ａを登録対象として指定したＬＲ登録要求（以下、「移動機を対象とするＬＲ登録要求」という。）が、交換機１２Ａによってロケーションレジスタ１３に送信されたことを表している。
【００１７】
次に、図３を参照して、各交換機１２の具体的な構成を説明する。同図に示すように、各交換機１２は、通信部１２１、制御部１２２および記憶部１２３を有する。通信部１２１は、上記ロケーションレジスタ１３や当該交換機１２に接続された各無線基地局１１、ならびに他の交換機１２との間で各種情報の送受信を行うための手段である。制御部１２２は、例えばＣＰＵ（Central Processing Unit）等を含んで構成され、記憶部１２３に記憶された各種のプログラムを実行することにより、ロケーションレジスタ１３へのＬＲ登録要求の送信といった各種の処理を行う（詳細は後述）。記憶部１２３には、制御部１２２により実行される制御プログラムのほか、位置管理テーブルが記憶されている。以下、この位置管理テーブルの役割とその内容について詳述する。
【００１８】
上述したように、本実施形態においては、各移動機２００がロケーションエリア１２０を跨いだ移動を行うたびに、これがロケーションレジスタ１３における位置登録テーブルの内容に反映されるわけではないため、位置登録テーブルにおいて各移動機２００の登録エリア情報として記憶された交換機ＩＤは、必ずしもその移動機２００が実際に在圏しているロケーションエリア１２０を管轄する交換機１２を示しているとは限らない。例えば、図１において、移動機２００を対象とするＬＲ登録要求が交換機１２Ａによってロケーションレジスタ１３に送信された直後に当該移動機２００が交換機１２Ｂの管轄するロケーションエリア１２０Ｂに移動した場合、当該移動機２００を対象とするＬＲ登録要求が交換機１２Ｂによって送信されるまでの間、当該移動機２００を対象とするＬＲ登録要求を送信した交換機１２Ａと、当該移動機２００が現に在圏しているロケーションエリア１２０Ｂを管轄する交換機１２Ｂとが一致しないといった状況が生じ得るのである。このため、ロケーションレジスタ１３における位置登録テーブルの内容だけでは、移動機２００が現に在圏しているロケーションエリア１２０を認識することができないといった状況も起こり得る。かかる場合であっても、いずれかの移動機２００に対する着信要求に応じて当該移動機２００に対する呼接続処理を実現できるように、各移動機２００が現に在圏しているロケーションエリア１２０等を示す位置管理テーブルが、各交換機１２の記憶部１２３に記憶されているのである。
【００１９】
図４は、位置管理テーブルの内容を例示する図である。なお、図４においては、交換機１２Ａの記憶部１２３に格納された位置管理テーブルが図示されている。図４に示すように、位置管理テーブルは、各移動機２００の移動機ＩＤと、在圏エリア情報と、登録実行交換機情報とが対応付けられたテーブルである。在圏エリア情報は、移動機２００が現に在圏しているロケーションエリア１２０を特定するための情報である。本実施形態においては、移動機２００が現に在圏しているロケーションエリア１２０を管轄する交換機１２の交換機ＩＤが、在圏エリア情報として記憶されるようになっている。一方、登録実行交換機情報は、各移動機２００を対象とするＬＲ登録要求を送信した交換機１２を特定する情報である。本実施形態においては、登録実行交換機情報として、該当する交換機１２の交換機ＩＤが記憶されるようになっている。図４を例に採ると、移動機２００ｂは、交換機１２Ａのロケーションエリア１２０Ａに現在在圏しているが、当該移動機２００ｂを対象とするＬＲ登録要求をロケーションレジスタ１３に対して最後に送信したのは交換機１２Ｂであることを示している。なお、位置管理テーブル内の各情報は、移動機２００または他の交換機１２から通信部１２１を介して受信した情報に基づいて、制御部１２２が更新する。
【００２０】
また、各交換機１２の制御部１２２は、位置管理テーブルの在圏エリア情報および登録実行交換機情報の内容を参照することにより、当該交換機１２における各移動機２００についての位置登録の状態（以下、「登録状態」という。）が以下の（ａ）ないし（ｄ）のうちのいずれにあるのかを判定できるようになっている。なお、以下では、ある交換機１２に着目したときに、その交換機１２自体を「自交換機１２」と表記する一方、当該交換機１２以外の交換機１２を「他交換機１２」と表記する場合がある。
【００２１】
（ａ）ＬＲ登録済状態；ある移動機２００を対象とするＬＲ登録要求を自交換機１２が送信し、かつ当該移動機２００が現に自交換機１２の管轄するロケーションエリア１２０に在圏している場合の、当該自交換機１２における移動機２００の登録状態である。すなわち、位置管理テーブルにおいて、「在圏エリア情報」が示す交換機１２と、「登録実行交換機情報」が示す交換機１２の双方が、自交換機１２となっている移動機２００の登録状態である。例えば、図４に示した交換機１２Ａの位置管理テーブルにおいて、移動機２００ａは、当該交換機１２Ａ（自交換機）によるＬＲ登録要求の対象とされ、かつ現に当該交換機１２Ａが管轄するロケーションエリア１２０Ａに在圏しているので、交換機１２Ａにおける移動機２００ａの登録状態は「ＬＲ登録済状態」であるということができる。また、交換機１２Ａが移動機２００ａを対象とするＬＲ登録要求を送信した後、当該移動機２００ａが他のロケーションエリア１２０に移動した場合であっても、他交換機１２によるＬＲ登録要求の対象とされる前に再び交換機１２Ａのロケーションエリア１２０Ａに戻ってきた場合には、当該移動機２００ａは「ＬＲ登録済状態」に該当する。
【００２２】
なお、交換機１２Ａにおける移動機２００ａの登録状態が「ＬＲ登録済状態」に該当する場合、ロケーションレジスタ１３の位置登録テーブルにおいて当該移動機２００ａの登録エリア情報として記憶された交換機ＩＤが示す交換機１２と、移動機２００ａが現に在圏しているロケーションエリア１２０を管轄する交換機１２は、双方とも交換機１２Ａである。すなわち、ある交換機１２において「ＬＲ登録済状態」にある移動機２００については、位置登録テーブルの内容と当該移動機２００が現に在圏しているロケーションエリア１２０とが整合している。
【００２３】
（ｂ）ＬＲ未登録［自エリア］状態；ある移動機２００を対象とするＬＲ登録要求の送信が他交換機１２によって実行された後、当該移動機２００が、自交換機１２の管轄するロケーションエリア１２０に移動してきて未だ新たなＬＲ登録要求の送信が実行されていない場合の、当該自交換機１２における移動機２００の登録状態である。つまり、ある交換機１２の位置管理テーブルにおいて、「在圏エリア情報」が自交換機１２を示している一方、「登録実行交換機情報」が他交換機１２を示している移動機２００の登録状態である。例えば、図４に示した交換機１２Ａの位置管理テーブルにおいて、移動機２００ｂは、他交換機１２ＢによるＬＲ登録要求の対象となったものの、現に在圏しているのは自交換機１２Ａが管轄するロケーションエリア１２０Ａであるから、交換機１２Ａにおける移動機２００ｂの登録状態は「ＬＲ未登録［自エリア］状態」であるということができる。
【００２４】
（ｃ）ＬＲ未登録［他エリア］状態；ある移動機２００を対象とするＬＲ登録要求を自交換機１２が送信した後、当該移動機２００が、他交換機１２の管轄するロケーションエリア１２０に移動した場合の、当該自交換機１２における移動機２００の登録状態である。つまり、ある交換機１２の位置管理テーブルにおいて、「在圏エリア情報」が他交換機１２を示している一方、「登録実行交換機情報」が自交換機１２を示している移動機２００の登録状態である。例えば、図４に示した交換機１２Ａの位置管理テーブルにおいて、移動機２００ｃは、自交換機１２ＡによるＬＲ登録要求の対象となったものの、その後、他交換機１２Ｂのロケーションエリア１２０Ｂに移動したことを示しているので、交換機１２Ａにおける移動機２００ｃの登録状態は「ＬＲ未登録［他エリア］状態」であるということができる。
【００２５】
なお、ある交換機１２において「ＬＲ未登録［自エリア］状態」または「ＬＲ未登録［他エリア］状態」となっている移動機２００については、ロケーションレジスタ１３の位置登録テーブルにおいて当該移動機２００の登録エリア情報として記憶された交換機ＩＤが示す交換機１２と、当該移動機２００が現に在圏しているロケーションエリア１２０を管轄する交換機１２とは異なっている。つまり、これらの登録状態に該当する移動機２００については、位置登録テーブルの内容と実際の移動機２００の状況とが一致しないこととなる。
【００２６】
（ｄ）空き状態；ある交換機１２の位置管理テーブルにおいて、「在圏エリア情報」および「登録実行交換機情報」の双方が消去されている状態にある移動機２００の当該交換機１２における登録状態である。図４に示した交換機１２Ａの位置管理テーブルにおいては、移動機２００ｄについての在圏エリア情報および登録実行交換機情報の双方が消去されており（「−−−」が消去された状態を示している。）、したがって、交換機１２Ａにおける移動機２００ｄの登録状態は「空き状態」に該当する。
【００２７】
以上が各交換機１２における各移動機２００の登録状態である。各移動機２００の登録状態は、移動機２００の移動の有無や、ロケーションレジスタ１３へのＬＲ登録要求の送信の有無等の各種の条件に応じて位置管理テーブルにおける「在圏エリア情報」や「登録実行交換機情報」が更新されるのに伴って順次変化する。以下、図５を参照して、ある交換機１２における移動機２００の登録状態の変化について詳述する。
【００２８】
まず、自交換機１２のロケーションエリア１２０に在圏したことがない移動機２００の当該自交換機１２における登録状態は「空き状態」に該当する。そして、自交換機１２において「空き状態」にある移動機２００が、他交換機１２によるＬＲ登録要求の対象となった後に当該自交換機１２のロケーションエリア１２０に移動してきた場合、自交換機１２における移動機２００の登録状態は「ＬＲ未登録［自エリア］状態」に遷移する（図５中の（ａ））。
【００２９】
そして、自交換機１２において規定される登録実行タイミングが到来すると、当該交換機１２は、自交換機１２のロケーションエリア１２０に現に在圏している移動機２００を対象とするＬＲ登録要求を、ロケーションレジスタ１３に対して送信する。この結果、当該ＬＲ登録要求の送信元たる交換機１２において、その対象となった移動機２００の登録状態は「ＬＲ登録済状態」となる（図５中の（ｂ））。
【００３０】
ここで、本実施形態においては、いずれかの移動機２００が自交換機１２の管轄するロケーションエリア１２０に移動してから特定の時間（以下、「登録実行時間Ｔ１」という。）が経過したタイミングを、上記ＬＲ登録要求を送信すべき登録実行タイミングとして採用する。すなわち、各交換機１２は、他交換機１２によるＬＲ登録要求において対象となった移動機２００が自交換機１２の管轄するロケーションエリア１２０に移動し、かつ、その時点において上記登録実行時間Ｔ１の計時を行っていない場合に、登録実行時間Ｔ１の計時を開始し、この登録実行時間Ｔ１の計時が終了したタイミング（すなわち、登録実行タイミング）で、ロケーションレジスタ１３へのＬＲ登録要求の送信を実行する。
【００３１】
これに対し、自交換機１２において「ＬＲ未登録［自エリア］状態」にある移動機２００が、上記登録実行タイミングが到来する前に（つまり、登録実行時間Ｔ１の計時終了前に）、他交換機１２のロケーションエリア１２０に移動した場合には、位置管理テーブルにおける在圏エリア情報と登録実行交換機情報の双方が他交換機１２の交換機ＩＤとなるため、自交換機１２における当該移動機２００の登録状態は「空き状態」となる（図５中の（ｃ））。
【００３２】
一方、図５中の（ｂ）において「ＬＲ登録済状態」となった移動機２００が、他交換機１２のロケーションエリア１２０に移動した場合、当該移動機２００の登録状態は「ＬＲ未登録［他エリア］状態」となる（図５中の（ｄ））。
【００３３】
また、交換機１２における移動機２００の登録状態が「ＬＲ未登録［他エリア］状態」となった場合、当該移動機２００について消去実行時間Ｔ２の計時が開始される。そして、当該移動機２００について「ＬＲ未登録［他エリア］状態」が維持されたまま、上記消去実行時間Ｔ２の計時が終了した場合には、当該移動機２００の在圏エリア情報および登録実行交換機情報が消去されて「空き状態」となる（図５中の（ｅ））。なお、各交換機１２における登録実行タイミングを規定する登録実行時間Ｔ１と異なり、消去実行時間Ｔ２は、各移動機２００についての在圏エリア情報および登録実行交換機情報を消去するタイミングを規定する時間であるから、「ＬＲ未登録［他エリア］状態」に該当する移動機２００の各々について別個に計時が行われる。
【００３４】
一方、自交換機１２において「ＬＲ未登録［他エリア］状態」にある移動機２００が、他交換機１２によるＬＲ登録要求の対象とされることなく、かつ消去実行時間Ｔ２が経過する前に自交換機１２のロケーションエリア１２０に戻ってきた場合には、当該移動機２００を対象とするＬＲ登録要求を送信した交換機１２と、当該移動機２００が現に在圏するロケーションエリア１２０を管轄する交換機１２の双方が自交換機１２となるから、当該移動機２００の登録状態は「ＬＲ登録済状態」となる（図５中の（ｆ））。これに対し、自交換機１２において「ＬＲ未登録［他エリア］状態」にある移動機２００が、消去実行時間Ｔ２の経過前に自交換機１２のロケーションエリア１２０に戻ってきたものの、すでに他交換機１２によるＬＲ登録要求の対象となっている場合には、当該自交換機１２における移動機２００の登録状態は「ＬＲ未登録［自エリア］状態」となる（図５中の（ｇ））。
【００３５】
＜Ｂ：本実施形態の動作＞
次に、本実施形態の動作を説明する。
各交換機１２の制御部１２２は、記憶部１２３に格納された位置管理テーブルの内容を参照することにより、自交換機１２における各移動機２００の登録状態を判別し、各々の移動機２００に関してその登録状態に応じた処理を実行する。以下、図６を参照して、これらの各処理の内容について説明する。なお、以下では、複数の移動機２００のうちの一の移動機２００ａのみに着目し、各交換機１２の制御部１２２が当該移動機２００ａについて実行する処理を説明するが、これ以外の移動機２００の各々についても同様の処理が実行される。また、以下に示すシーケンスチャート（図６、９、１１および１３）における各処理のうち、図７、８、１０および１２に示すフローチャート中の処理に対応する処理については、これらのフローチャート中と同一の符号が付されている。
【００３６】
いま、図６に示すように、移動機２００ａが交換機１２Ａの管轄するロケーションエリア１２０Ａに現に在圏しており（ステップＳ６１）、かつ、当該移動機２００ａを対象とするＬＲ登録要求の送信が交換機１２Ａによって実行された直後である場合を想定する。この場合、交換機１２Ａの位置管理テーブルにおいて、移動機２００ａの在圏エリア情報および登録実行交換機情報は、双方とも交換機１２Ａの交換機ＩＤとなっている。すなわち、交換機１２Ａにおける移動機２００ａの登録状態は「ＬＲ登録済状態」に該当する。一方、ロケーションエリア１２０Ｂを管轄する交換機１２Ｂの位置管理テーブルにおいて、移動機２００ａの在圏エリア情報および登録実行交換機情報は双方とも消去されているものとする。つまり、交換機１２Ｂにおける移動機２００ａの登録状態は「空き状態」に該当する。
【００３７】
ここで、図７に示すフローチャートは、各交換機１２の制御部１２２が、「ＬＲ登録済状態」に該当する移動機２００について一定時間間隔ごとに実行する処理を表している。つまり、上記の例において、交換機１２Ａの制御部１２２は、「ＬＲ登録済状態」にある移動機２００ａについて、図７に示す処理を一定時間間隔ごとに実行する。
【００３８】
詳述すると、まず、交換機１２Ａの制御部１２２は、移動機２００ａについて、他交換機１２からエリア変更通知を受信したか否かを判定する（ステップＳａ１）。このエリア変更通知は、移動機２００ａが交換機１２Ａの管轄するロケーションエリア１２０Ａから他のロケーションエリア１２０に移動した場合に、移動後のロケーションエリア１２０を管轄する交換機１２から、移動前のロケーションエリア１２０Ａを管轄する交換機１２Ａに対して送信される信号である。つまり、他交換機１２からエリア変更通知を受信したということは、移動機２００ａが当該他交換機１２の管轄するロケーションエリア１２０に移動したことを意味している。上記の判定の結果、エリア変更通知を受信していないと判定した場合（ステップＳａ１；Ｎｏ）、制御部１２２は、当該移動機２００ａについて何ら処理を行わない。すなわち、交換機１２Ａにおける移動機２００ａの登録状態は「ＬＲ登録済状態」のまま維持される。
【００３９】
一方、図８に示すフローチャートは、「空き状態」に該当する移動機２００について交換機１２の制御部１２２が一定時間間隔ごとに実行する処理を表している。すなわち、上記の例において、交換機１２Ｂの制御部１２２は、「空き状態」にある移動機２００ａについて、図８に示す処理を一定時間間隔ごとに実行する。
【００４０】
詳述すると、まず、交換機１２Ｂの制御部１２２は、移動機２００ａから送信された端末位置登録要求を受信したか否かを判定する（ステップＳｂ１）。上述したように、この端末位置登録要求は、移動機２００ａがロケーションエリア１２０を跨いだ移動を行った場合に、移動後のロケーションエリア１２０を管轄する交換機１２に対して当該移動機２００から送信される信号である。上記の判定の結果、端末位置登録要求を受信していないと判定した場合（ステップＳｂ１；Ｎｏ）、制御部１２２は、当該移動機２００ａについて何ら処理を行わない。すなわち、移動機２００ａの登録状態は「空き状態」のまま維持される。
【００４１】
次に、図６に示すように、移動機２００ａがロケーションエリア１２０Ａから出てロケーションエリア１２０Ｂに移動すると（ステップＳ６２）、当該移動機２００ａは、移動後のロケーションエリア１２０Ｂを管轄する交換機１２Ｂに対して端末位置登録要求を送信する（ステップＳ６３）。この端末位置登録要求には、移動前のロケーションエリア１２０Ａを管轄する交換機１２Ａの交換機ＩＤが含まれている。
【００４２】
こうして移動機２００ａから端末位置登録要求を受信すると、交換機１２Ｂの制御部１２２は、図８に示すステップＳｂ１において「Ｙｅｓ」と判定し、ステップＳｂ２に処理を進める。すなわち、制御部１２２は、位置管理テーブルにおける当該移動機２００ａの在圏エリア情報を、自交換機１２Ｂの交換機ＩＤに更新する（ステップＳｂ２）。なお、現段階では、登録実行交換機情報は消去されたままである。また、制御部１２２は、端末位置登録要求を送信してきた移動機２００ａに対し、これを受信したことを示す端末位置登録応答を送信する（ステップＳｂ３）。続いて、制御部１２２は、今回受信した端末位置登録要求に含まれている交換機ＩＤが示す交換機１２Ａ（つまり、移動機２００ａが移動前に在圏していたロケーションエリア１２０を管轄する交換機１２）に対して、移動機２００ａの在圏エリアが変更したことを示すエリア変更通知を送信する（ステップＳｂ４）。このエリア変更通知には、交換機１２Ｂの交換機ＩＤが含まれている。
【００４３】
一方、交換機１２Ｂから移動機２００ａについてのエリア変更通知を受信すると、交換機１２Ａの制御部１２２は、図７に示すステップＳａ１において「Ｙｅｓ」と判定し、ステップＳａ２に処理を進める。この場合、交換機１２Ａの制御部１２２は、位置管理テーブルにおいて移動機２００ａの登録実行交換機情報として記憶された交換機ＩＤ（この場合、交換機１２Ａの交換機ＩＤである）を検索する。そして、検索した交換機ＩＤを含む登録実行交換機通知を、エリア変更通知の送信元である交換機１２Ｂに対して送信する（ステップＳａ２）。この登録実行交換機通知は、移動機２００が移動した先のロケーションエリア１２０を管轄する他交換機１２に対し、当該移動機２００を対象とするＬＲ登録要求の送信を実行した交換機１２を通知するためのものである。
【００４４】
次いで、交換機１２Ａの制御部１２２は、位置管理テーブルにおける移動機２００ａの在圏エリア情報（現段階では交換機１２Ａの交換機ＩＤが記憶されている）を、今回受信したエリア変更通知に含まれる交換機１２Ｂの交換機ＩＤに更新する（ステップＳａ３）。すなわち、移動機２００ａが現に在圏するロケーションエリア１２０Ｂを示す在圏エリア情報として、交換機１２Ｂの交換機ＩＤが記憶されるのである。この後、交換機１２Ａの制御部１２２は、タイマを起動することにより消去実行時間Ｔ２の計時を開始する（ステップＳａ４）。これらの処理が終了すると、図６に示すように、移動機２００ａの在圏エリア情報は他交換機１２Ｂの交換機ＩＤとなり、登録実行交換機情報は自交換機１２Ａの交換機ＩＤとなるから、当該交換機１２Ａにおける移動機２００ａの登録状態は「ＬＲ未登録［他エリア］状態」となる。
【００４５】
再び図８において、交換機１２Ａから送信された登録実行交換機通知を受信すると（ステップＳｂ５）、交換機１２Ｂの制御部１２２は、位置管理テーブルにおける移動機２００ａの登録実行交換機情報を、今回通知された交換機ＩＤ（つまり、移動機２００ａを対象とするＬＲ登録要求の送信を実行した交換機１２Ａの交換機ＩＤ）に更新する。次いで、制御部１２２は、現在において登録実行時間Ｔ１の計時を行っているか否かを判定する（ステップＳｂ７）。この結果、計時を行っていないと判定すると、制御部１２２は、タイマを起動して登録実行時間Ｔ１の計時を開始した後（ステップＳｂ８）、処理を終了する。一方、図８に示した処理は、交換機１２Ｂにおいて「空き状態」にある各移動機２００について実行されるため、移動機２００ａ以外の移動機２００について実行された図８の処理において、すでに登録実行時間Ｔ１の計時を開始しており、現在もその計時中である場合が生じ得る。この場合、あらためて登録実行時間Ｔ１の計時を行う必要はないので、制御部１２２はそのまま処理を終了する（ステップＳｂ７；Ｙｅｓ）。上記ステップＳｂ２ないしＳｂ８に示した処理により、交換機１２Ｂの位置管理テーブルにおいて、移動機２００ａの在圏エリア情報は自交換機１２Ｂの交換機ＩＤとなり、登録実行交換機情報は他交換機１２Ａの交換機ＩＤとなるから、当該交換機１２Ｂにおける移動機２００ａの登録状態は「ＬＲ未登録［自エリア］状態」となる。
【００４６】
次に、図６に示したシーケンスチャートの終了時点の状態で、移動機２００ａに対する着信要求が、他の移動機２００または有線電話機（図示略）から送信された場合の動作を説明する。なお、いずれかの移動機２００から送信された着信要求は、当該移動機２００が在圏するロケーションエリア１２０を管轄する交換機１２によって受信される。一方、有線電話機から送信された着信要求は、公衆電話網（図示略）と移動通信網１００との間に介在する関門交換機によって受信される。以下では、こうして着信要求を受信した交換機（関門交換機も含む）を「交換機１２Ｘ」と表記する。
【００４７】
図９に示すように、移動機２００ａへの着信要求を受信すると（ステップＳ９１）、交換機１２Ｘは、当該移動機２００ａの登録エリア情報を問い合わせるための登録エリア要求を、ロケーションレジスタ１３に対して送信する（ステップＳ９２）。この登録エリア要求には、着信先の移動機２００ａの移動機ＩＤが含まれている。
【００４８】
ロケーションレジスタ１３は、この登録エリア要求を受信すると、これに含まれる移動機２００ａの移動機ＩＤを、ホームメモリ１３１内の位置登録テーブルから検索する。そして、ロケーションレジスタ１３は、検索された移動機ＩＤに登録エリア情報として対応付けられた交換機ＩＤを読み出すとともに、読み出した交換機ＩＤを含む登録エリア通知を要求送信元の交換機１２Ｘに対して送信する（ステップＳ９３）。ここでは、移動機２００ａを対象とするＬＲ登録要求を最後にロケーションレジスタ１３に対して送信した交換機１２Ａの交換機ＩＤが、交換機１２Ｘに対して通知されることとなる。こうして登録エリア通知を受信すると、交換機１２Ｘは、これに含まれる交換機ＩＤにより特定される交換機１２Ａに対して、移動機２００ａの移動機ＩＤを含む着信要求を送信する（ステップＳ９４）。
【００４９】
一方、交換機１２Ｘから着信要求を受信すると、交換機１２Ａの制御部１２２は、これに含まれる着信先の移動機２００ａの移動機ＩＤを抽出するとともに、記憶部１２３に記憶された位置管理テーブルから、当該移動機２００ａの在圏エリア情報として記憶された交換機ＩＤを検索する。そして、交換機１２Ａの制御部１２２は、検索した交換機ＩＤにより特定される交換機１２Ｂに対して、着信要求を送信する（ステップＳ９５）。つまり、着信先の移動機２００ａが現に在圏しているロケーションエリア１２０Ｂを管轄する交換機１２Ｂに対して、着信要求が送信されるのである。
【００５０】
こうして着信要求を受信した交換機１２Ｂの制御部１２２は、位置管理テーブルにおいて移動機２００ａの在圏エリア情報として自交換機１２Ｂの交換機ＩＤが記憶されていることから、移動機２００ａが自交換機１２Ｂのロケーションエリア１２０Ｂに在圏していることを認識する。この場合、交換機１２Ｂの制御部１２２は、接続された１以上の無線基地局１１に対し、当該移動機２００ａの移動機ＩＤを含む呼出信号を送信する（ステップＳ９６）。この結果、これらの無線基地局１１が形成する無線エリア１１０のうちのいずれかに在圏している移動機２００ａは、呼出信号を受信することができるのである。
【００５１】
このように、本実施形態においては、移動機２００を対象とするＬＲ登録要求を最後にロケーションレジスタ１３に対して送信した交換機１２が、当該移動機２００が現に在圏しているロケーションエリア１２０を認識できるようになっているので、ロケーションレジスタ１３の位置登録テーブルの内容と、実際に移動機２００が在圏するロケーションエリア１２０との間に不整合が生じている場合であっても、移動機２００への適切な着信を実現することができるのである。
【００５２】
次に、図１０を参照して、自交換機１２における登録状態が「ＬＲ未登録［自エリア］状態」となった移動機２００について、当該交換機１２の制御部１２２が、一定時間間隔ごとに実行する処理を説明する。つまり、上記図６に示したシーケンスチャートの終了時点において、交換機１２Ｂにおける移動機２００ａの登録状態は「ＬＲ未登録［自エリア］状態」となっているから、当該交換機１２Ｂの制御部１２２は、移動機２００ａについて図１０に示す処理を実行することとなる。以下では、交換機１２Ｂの制御部１２２が移動機２００ａについて実行する処理を例に説明を進める。ただし、交換機１２Ｂにおいて「ＬＲ未登録［自エリア］状態」にある他の移動機２００についても同様の処理が実行され、さらにはその他の交換機１２においても、「ＬＲ未登録［自エリア］状態」に該当する移動機２００の各々について同様の処理が行われることとなる。
【００５３】
図１０に示す処理において、交換機１２Ｂの制御部１２２は、登録実行時間Ｔ１の計時が終了した場合には自交換機１２Ｂのロケーションエリア１２０Ｂに在圏している移動機２００を対象とするＬＲ登録要求の送信を行う一方（ステップＳｃ２ないしＳｃ４の処理である。図５中の（ｂ）の変化に対応する。）、「ＬＲ未登録［自エリア］状態」にあった移動機２００ａが他交換機１２のロケーションエリア１２０に移動した場合には、当該移動機２００ａの登録状態を「空き状態」に変更するための処理を実行する（図１０におけるステップＳｃ６ないしＳｃ８の処理である。図５中の（ｃ）の変化に対応する。）。以下、これらの処理について詳述する。
【００５４】
まず、交換機１２Ｂの制御部１２２は、登録実行時間Ｔ１の計時が終了したか否かを判定する（ステップＳｃ１）。この結果、計時が終了したと判定した場合（すなわち登録実行タイミングが到来した場合）、制御部１２２は、当該交換機１２Ｂのロケーションエリア１２０Ｂに在圏している移動機２００について位置登録テーブルへの登録を行うべく、ロケーションレジスタ１３に対してＬＲ登録要求を送信する（ステップＳｃ２）。ここで、本実施形態においては、登録実行時間Ｔ１の計時が終了すると、現在処理対象となっている移動機２００ａのみならず、その時点において当該交換機１２Ｂのロケーションエリア１２０Ｂに在圏しているすべての移動機２００を指定したＬＲ登録要求がロケーションレジスタ１３に対して送信されるようになっている。このため、上記ＬＲ登録要求には、当該交換機１２Ｂの交換機ＩＤのほか、自交換機１２Ｂのロケーションエリア１２０Ｂに現に在圏している１以上の移動機の移動機ＩＤが含まれることとなる。ただし、本実施形態においては、自交換機１２Ｂのロケーションエリア１２０Ｂに現に在圏している移動機２００であっても、自交換機１２Ｂにおける登録状態が「ＬＲ登録済状態」となっている移動機２００は、ＬＲ登録要求の対象から除外されるものとする。かかる移動機２００については、ロケーションレジスタ１３の位置登録テーブルにおいて、すでに登録エリア情報として交換機１２Ｂの交換機ＩＤが記憶されているため、重複して登録を行う必要がないからである。
【００５５】
一方、ロケーションレジスタ１３は、このＬＲ登録要求に応じて位置登録テーブルの更新処理を行うとともに、要求の送信元である交換機１２Ｂに対し、更新処理が完了した旨を示すＬＲ登録応答を送信する。このＬＲ登録応答を受信すると（ステップＳｃ３）、交換機１２Ｂの制御部１２２は、位置管理テーブルのうち、今回のＬＲ登録要求の対象となった移動機２００について、その登録実行交換機情報を自交換機１２Ｂの交換機ＩＤに変更する（ステップＳｃ４）。この結果、今回のＬＲ登録要求の対象となった移動機２００については、その在圏エリア情報および登録実行交換機情報の双方が自交換機１２Ｂの交換機ＩＤとなる。
【００５６】
ここで、図１１を参照して、上記登録処理の具体例について説明する。なお、図１１においては、移動機２００ａのほか、その他の移動機２００ｃ、２００ｄおよび２００ｅもロケーションエリア１２０Ｂに在圏しているものとする。
【００５７】
まず、上記ステップＳｃ１において登録実行時間Ｔ１の計時が完了したと判定すると、交換機１２Ｂの制御部１２２は、自交換機１２Ｂのロケーションエリア１２０Ｂに在圏している１以上の移動機２００を検索する。ここでは、図１１中の（ａ１）に示すように、その時点において図１０に示した処理の実行対象となっている移動機２００ａの在圏エリア情報のほか、移動機２００ｃ、２００ｄおよび２００ｅの在圏エリア情報が自交換機１２Ｂの交換機ＩＤとなっているから、これら４つの移動機ＩＤが検索される。しかしながら、移動機２００ｅは、自交換機１２Ｂにおいて「ＬＲ登録済状態」となっているから、今回のＬＲ登録要求の対象からは除外される。したがって、交換機１２Ｂの制御部１２２は、移動機２００ａ、２００ｃおよび２００ｄの交換機ＩＤと、自交換機１２Ｂの交換機ＩＤとを含むＬＲ登録要求をロケーションレジスタ１３に送信する。
【００５８】
一方、交換機１２ＢからＬＲ登録要求を受信すると、ロケーションレジスタ１３は、これに含まれる移動機ＩＤと交換機ＩＤとを抽出し、抽出した３つの移動機ＩＤを位置登録テーブルから検索する。そして、検索した移動機ＩＤに対応付けられた登録エリア情報を、ＬＲ登録要求から抽出された交換機ＩＤ、すなわち当該ＬＲ登録要求の送信元である交換機１２Ｂの交換機ＩＤに更新する（ステップＳ１１１）。この結果、図１１中の（ｂ１）に示す位置登録テーブルは、（ｂ２）に示す内容に更新される（斜線部が更新された部分を表している）。さらに、ロケーションレジスタ１３は、今回ＬＲ登録要求を送信してきた交換機１２Ｂに対してＬＲ登録応答を送信する（ステップＳ１１２）。
【００５９】
ロケーションレジスタ１３からＬＲ登録応答を受信すると（ステップＳｃ３）、交換機１２Ｂの制御部１２２は、今回のＬＲ登録要求の対象となった移動機２００ａ、２００ｃおよび２００ｄについて、その登録実行交換機情報を、自交換機１２Ｂの交換機ＩＤに更新する（ステップＳｃ４）。この結果、図１１中の（ａ１）に示した位置管理テーブルは、（ａ２）に示す内容に更新される（斜線部が更新された部分を表している）。したがって、当該交換機１２Ｂの位置管理テーブルにおいて、移動機２００ａ、２００ｃおよび２００ｄの登録状態は「ＬＲ登録済状態」となる（移動機２００ｅは元々「ＬＲ登録済状態」である）。以上が登録処理の内容である。
【００６０】
一方、図１０に示すステップＳｃ１において登録実行時間Ｔ１の計時が終了していないと判定した場合、すなわち、ＬＲ登録要求を送信すべき登録実行タイミングが未だ到来していない場合、交換機１２Ｂの制御部１２２は、他交換機１２から移動機２００ａについてのエリア変更通知を受信したか否かを判定する（ステップＳｃ５）。この結果、受信していないと判定した場合、移動機２００ａについて何ら状況の変化が生じていないと考えられるので、制御部１２２はそのまま処理を終了する（ステップＳｃ５；Ｎｏ）。この場合、交換機１２Ｂにおける移動機２００ａの登録状態は「ＬＲ未登録［自エリア］状態」のまま維持される。
【００６１】
これに対し、上記ステップＳｃ５においてエリア変更通知を受信したと判定した場合、すなわち、移動機２００ａが交換機１２Ｂのロケーションエリア１２０Ｂから他のロケーションエリア１２０に移動した場合、制御部１２２は、まず、位置管理テーブルから移動機２００ａの登録実行交換機情報として記憶されている交換機ＩＤ（ここでは交換機１２Ａの交換機ＩＤである。）を読み出すとともに、読み出した交換機ＩＤを含む登録実行交換機通知を移動機２００ａの移動先の他交換機１２に対して送信する（ステップＳｃ６）。なお、移動先の交換機１２は、他交換機１２から受信したエリア変更通知に含まれる交換機ＩＤにより特定することができる。
【００６２】
さらに、交換機１２Ｂの制御部１２２は、位置管理テーブルを参照して移動機２００ａの登録実行交換機情報として記憶された交換機ＩＤを読み出すとともに、読み出した交換機ＩＤにより特定される交換機１２Ａに対して、移動先の他交換機１２の交換機ＩＤを含む在圏エリア通知を送信する（ステップＳｃ７）。
【００６３】
上記ステップＳｃ６の処理により、「移動機２００ａを対象とするＬＲ登録要求を送信した交換機１２Ａ」を移動先の他交換機１２に対して通知し、ステップＳｃ７の処理により、「当該移動機２００ａが現に在圏するロケーションエリア１２０」を移動機２００ａを対象とするＬＲ登録要求の送信を最後に実行した交換機１２Ａに対して通知すると、交換機１２Ｂにおいては、移動機２００ａについての在圏エリア情報および登録実行交換機情報を記憶しておく必要はなくなる。したがって、交換機１２Ｂの制御部１２２は、位置管理テーブルのうち移動機２００ａの在圏エリア情報および登録実行交換機情報を消去して（ステップＳｃ８）、処理を終了する。この結果、交換機１２Ｂにおける移動機２００ａの登録状態は「空き状態」となる。
【００６４】
次に、図１２を参照して、自交換機１２における登録状態が「ＬＲ未登録［他エリア］状態」に該当する移動機２００について、当該交換機１２の制御部１２２が、一定時間間隔ごとに実行する処理を説明する。つまり、前掲図６に示したシーケンスチャートの終了時点において、交換機１２Ａにおける移動機２００ａの登録状態は「ＬＲ未登録［他エリア］状態」となっているから、当該交換機１２Ａの制御部１２２は、移動機２００ａについて図１２に示す処理を実行することとなる。以下では、交換機１２Ａの制御部１２２が移動機２００ａについて実行する処理を例に説明を進める。ただし、交換機１２Ａは「ＬＲ未登録［他エリア］状態」にある他の移動機２００についても同様の処理を実行し、さらにはその他の交換機１２においても「ＬＲ未登録［他エリア］状態」に該当する移動機の各々について同様の処理が行われることとなる。
【００６５】
まず、交換機１２Ａの制御部１２２は、図７中のステップＳａ４において開始した消去実行時間Ｔ２の計時が終了したか否かを判定する（ステップＳｄ１）。この結果、計時が終了したと判定した場合、制御部１２２は、位置管理テーブルにおける当該移動機２００ａの在圏エリア情報および登録実行交換機情報を削除する（ステップＳｄ２）。これは、自交換機１２ＡによるＬＲ登録要求の対象となった移動機２００ａが他交換機１２のロケーションエリア１２０に移動してから相当の時間（消去実行時間Ｔ２）が経過しており、他の交換機１２において当該移動機２００ａを登録対象とするＬＲ登録要求の送信がすでに実行されている蓋然性が極めて高いと考えられるからである。したがって、この消去実行時間Ｔ２は、登録実行時間Ｔ１と比較して十分に長い時間に設定されている。
【００６６】
これに対し、消去実行時間Ｔ２の計時が終了していないと判定された場合には、ロケーションレジスタ１３の位置登録テーブルにおいて、当該移動機２００ａの登録エリア情報として自交換機１２Ａの交換機ＩＤが記憶されたままとなっている可能性があるので、未だ移動機２００ａの在圏エリア情報および登録実行交換機情報を消去することはできない。この場合、制御部１２２は、ステップＳｄ３に処理を進め、他交換機１２から移動機２００ａについての在圏エリア通知を受信したか否かを判定する。
【００６７】
この結果、受信したと判定した場合、すなわち、移動機２００ａが他交換機１２のロケーションエリア１２０からさらに他のロケーションエリア１２０に移動した場合、制御部１２２は、受信した在圏エリア通知に含まれる交換機ＩＤ（つまり、移動後の移動機２００ａが現に在圏するロケーションエリア１２０を管轄する交換機１２の交換機ＩＤである。図１０におけるステップＳｃ７参照。）を抽出し、位置管理テーブルにおける移動機２００ａの在圏エリア情報を、抽出した交換機ＩＤに変更する。これにより、移動機２００ａを対象とするＬＲ登録要求を送信した交換機１２Ａにおいて、当該移動機２００ａが現に在圏するロケーションエリア１２０を認識することができるようになる。すなわち、自交換機１２Ａのロケーションエリア１２０Ａに在圏していない移動機２００ａに対する着信要求を受信した場合に、当該移動機２００ａが現に在圏するロケーションエリア１２０を管轄する他交換機１２に対して着信要求を送信することができるのである。この後、制御部１２２は、移動機２００ａについて、消去実行時間Ｔ２の計時を改めて開始し（ステップＳｄ５）、処理を終了する。この場合、交換機１２Ａにおける移動機２００ａの登録状態は、「ＬＲ未登録［他エリア］状態」のまま維持される。
【００６８】
一方、ステップＳｄ３において、移動機２００ａについての在圏エリア通知を受信していないと判定した場合、制御部１２２は、移動機２００ａから端末位置登録要求を受信したか否かを判定する（ステップＳｄ６）。すなわち、自交換機１２ＡによるＬＲ登録要求の対象となった移動機２００ａが、再び自交換機１２Ａのロケーションエリア１２０Ａに戻ってきたか否かが判定されるのである。この結果、受信していないと判定した場合、すなわち、移動機２００ａについて何ら状況の変化が生じていない場合、制御部１２２はそのまま処理を終了する（ステップＳｄ６；Ｎｏ）。
【００６９】
これに対し、端末位置登録要求を受信したと判定した場合、すなわち、自交換機１２ＡがＬＲ登録要求の対象とした移動機２００ａが、再び自交換機１２Ａのロケーションエリア１２０Ａに戻ってきた場合、制御部１２２は、消去実行時間Ｔ２の計時を停止する（ステップＳｄ７）。そして、制御部１２２は、位置管理テーブルにおける移動機２００ａの在圏エリア情報を自交換機１２Ａの交換機ＩＤに変更する（ステップＳｄ８）。
【００７０】
次いで、交換機１２Ａの制御部１２２は、移動機２００ａが移動前に在圏していたロケーションエリア１２０の交換機１２に対し、移動機２００ａがロケーションエリア１２０を跨いで移動したことを示すエリア変更通知を送信する（ステップＳｄ９）。そして、これに応じて移動前の交換機１２から送信された（図１０におけるステップＳｃ６参照。）登録実行交換機通知を受信すると（ステップＳｄ１０）、制御部１２２は、これに含まれている交換機ＩＤ（つまり、移動機２００ａを対象とするＬＲ登録要求を最後にロケーションレジスタ１３に対して送信した交換機１２の交換機ＩＤ）が、自交換機１２Ａの交換機ＩＤと一致するか否かを判定する（ステップＳｄ１１）。この結果、両者が一致する場合には、当該移動機２００ａが一旦他のロケーションエリア１２０に移動したものの、他交換機１２によるＬＲ登録要求の対象となる前に自交換機１２Ａのロケーションエリア１２０に戻ってきたことを意味しているので、制御部１２２はそのまま処理を終了する。この場合、移動機２００ａの在圏エリア情報および登録実行交換機情報の双方が自交換機１２Ａの交換機ＩＤとなっており、当該移動機２００Ａの登録状態は「ＬＲ登録済状態」となる。
【００７１】
一方、ステップＳｄ１１の判定において両交換機ＩＤが一致しない場合には、自交換機１２ＡによるＬＲ登録要求の対象となった移動機２００ａについて、他交換機１２によるＬＲ登録要求の対象となった後に、自交換機１２Ａのロケーションエリア１２０Ａに戻ってきたことを意味している。この場合、移動機２００ａの登録状態を「ＬＲ未登録［自エリア］状態」とする必要があるので、制御部１２２は、位置管理テーブルにおける移動機２００ａの登録実行交換機情報を、ステップＳｄ１０において受信した登録実行交換機通知に含まれる交換機ＩＤ（つまり、移動機２００ａを対象とするＬＲ登録要求を新たに送信した他交換機１２の交換機ＩＤ）に変更する（ステップＳｄ１２）。その後、制御部１２２は、登録実行時間Ｔ１の計時を開始して（ステップＳｄ１３）、処理を終了する。
【００７２】
以上説明したように、各交換機１２の制御部１２２は、位置管理テーブルに移動機ＩＤが格納されている移動機２００の各々について、その登録状態が「空き状態」、「ＬＲ未登録［自エリア］状態」、「ＬＲ未登録［他エリア］状態」または「ＬＲ登録済状態」のうちのいずれに該当するかに応じて、異なる処理を実行するのである。そしてこの結果、ある移動機２００を対象とするＬＲ登録要求をロケーションレジスタ１３に対して送信した交換機１２は、当該移動機２００が現に在圏しているロケーションエリア１２０の交換機ＩＤを在圏エリア情報として保持する一方、移動機２００が現に在圏しているロケーションエリア１２０を管轄する交換機１２は、当該移動機２００を対象とするＬＲ登録要求を最後にロケーションレジスタ１３に送信した交換機１２の交換機ＩＤを登録実行交換機情報として保持することとなる。
【００７３】
次に、図１３を参照して、各交換機１２の間で実行される動作の具体例を説明する。なお、図１３に示すシーケンスチャートの開始段階においては、前掲図６に示したシーケンスチャートの終了時点における状態が維持されているものとする。すなわち、図１３に示すシーケンスチャートの開始時点において、交換機１２Ａにおける移動機２００ａの登録状態は「ＬＲ未登録［他エリア］状態」であり、交換機１２Ｂにおける移動機２００ａの登録状態は「ＬＲ未登録［自エリア］状態」であって、移動機２００ａは交換機１２Ｂが管轄するロケーションエリア１２０Ｂに在圏しているものとする。また、交換機１２Ｃにおける移動機２００ａの登録状態は「空き状態」であるものとする。
【００７４】
このような状況下で、移動機２００ａが交換機１２Ｃのロケーションエリア１２０Ｃに移動した場合（ステップＳ１３１）、この移動機２００ａから交換機１２Ｃに対して端末位置登録要求が送信される（ステップＳ１３２）。この端末位置登録要求を受信すると（ステップＳｂ１）、交換機１２Ｃの制御部１２２は、位置管理テーブルにおける当該移動機２００ａの在圏エリア情報を交換機１２Ｃに変更するとともに（ステップＳｂ２）、移動機２００ａに対して端末位置登録応答を送信する（ステップＳｂ３）。さらに、交換機１２Ｃの制御部１２２は、移動機２００ａが移動前に在圏していたロケーションエリア１２０Ｂの交換機１２Ｂに対し、エリア変更通知を送信する（ステップＳｂ４）。
【００７５】
このエリア変更通知を受信すると（ステップＳｃ５）、交換機１２Ｂの制御部１２２は、交換機１２Ｃに対して交換機１２Ａの交換機ＩＤを含む登録実行交換機通知を送信する（ステップＳｃ６）。この登録実行交換機通知を受信すると（ステップＳｂ５）、交換機１２Ｃの制御部１２２は、位置管理テーブルにおける移動機２００ａの登録実行交換機情報を交換機１２Ａの交換機ＩＤに更新する（ステップＳｂ６）。この結果、交換機１２Ｃにおける移動機２００ａの登録状態は、「ＬＲ未登録［自エリア］状態」となる。
【００７６】
一方、交換機１２Ｂの制御部１２２は、移動機２００ａを登録対象とするＬＲ登録要求を最後に送信した交換機１２Ａに対し、交換機１２Ｃの交換機ＩＤを含む在圏エリア通知を送信する（ステップＳｃ７）。その後、交換機１２Ｂの制御部１２２は、位置管理テーブルにおける移動機２００ａの在圏エリア情報および登録実行交換機情報を削除する（ステップＳｃ８）。この結果、交換機１２Ｂにおける移動機２００ａの登録状態は「空き状態」となる。
【００７７】
一方、交換機１２Ｂから在圏エリア通知を受信すると（ステップＳｄ３）、交換機１２Ａの制御部１２２は、移動機２００ａの在圏エリア情報を、在圏エリア通知に含まれる交換機１２Ｃの交換機ＩＤに変更する。この場合、交換機１２Ａにおける移動機２００ａの登録状態は、「ＬＲ未登録［他エリア］状態」のままである。
【００７８】
ここで、以上の処理が完了したときの状態が維持されたまま（つまり、移動機２００ａが移動することなく）、交換機１２Ｃにおいて登録実行時間Ｔ１の計時が終了したものとする（ステップＳｃ１）。この場合、交換機１２Ｃの制御部１２２は、ロケーションレジスタ１３に対してＬＲ登録要求を送信する（ステップＳｃ２）。このＬＲ登録要求には、交換機１２Ｃの交換機ＩＤと、当該交換機１２Ｃのロケーションエリア１２０Ｃに在圏する１以上の移動機（移動機２００ａを含む）の移動機ＩＤとが含まれている。ロケーションレジスタ１３は、位置登録テーブルのうちＬＲ登録要求に含まれる移動機ＩＤに対応する登録実行交換機情報を、交換機１２Ｃの交換機ＩＤに更新する（ステップＳ１３４）。この後、ロケーションレジスタ１３から送信されたＬＲ登録応答を受信すると（ステップＳｃ３）、交換機１２Ｃは、位置管理テーブルにおいて今回のＬＲ登録要求の対象となった移動機２００の登録実行交換機情報を交換機１２Ｃの交換機ＩＤに変更する（ステップＳｃ４）。この結果、ＬＲ登録要求の対象となった移動機２００（移動機２００ａを含む）の登録状態は、「ＬＲ登録済状態」となる。
【００７９】
一方、交換機１２Ａにおいて移動機２００ａに関する消去実行時間Ｔ２の計時が終了したものとする（ステップＳｄ１）。この場合、交換機１２Ａの制御部１２２は、位置管理テーブルにおける当該移動機２００ａの在圏エリア情報および登録実施交換機情報の双方を消去する（ステップＳｄ２）。この結果、交換機１２Ａにおける移動機２００ａの登録状態は「空き状態」となる。
【００８０】
以上説明したように、本実施形態においては、移動機２００がロケーションエリア１２０を跨いだ移動を行うたびにロケーションレジスタ１３において位置登録のための処理が実行されるのではなく、各交換機１２において規定される登録実行タイミングの到来を契機として、ロケーションレジスタ１３へのＬＲ登録要求の送信が実行されるようになっている。この結果、従来と比較してロケーションレジスタ１３における位置登録処理の回数を著しく減らすことができるので、ロケーションレジスタ１３の処理負荷を低減することができるのである。
【００８１】
また、本実施形態においては、交換機１２からロケーションレジスタ１３に対して送信されるＬＲ登録要求に、その時点において当該交換機１２のロケーションエリア１２０に在圏している１以上の移動機２００の移動機ＩＤが含まれるようになっている。つまり、複数の移動機２００についての位置登録を一斉に行うことができるので、交換機１２が各移動機２００ごとにＬＲ登録要求を送信する場合と比較して、ロケーションレジスタ１３の処理負荷を低減するとともに、移動通信網１００における通信トラヒックを低減することができる。
【００８２】
さらに、本実施形態においては、ある交換機１２において「ＬＲ登録済状態」に該当する移動機２００は、登録実行タイミングの到来時に当該交換機１２のロケーションエリア１２０に在圏していたとしても、ＬＲ登録要求の対象からは除外されるようになっている。この結果、ロケーションレジスタ１３において当該移動機２００の位置登録が重複して行われるのを回避することができるから、ロケーションレジスタ１３における処理負荷のさらなる低減に資することができる。
【００８３】
また、本実施形態においては、各交換機１２が保持する位置管理テーブルに基づいて各移動機２００の登録状態が判別されるとともに、各移動機２００について、その登録状態に応じた処理が実行されるようになっている。このため、各移動機２００がどのように移動した場合であっても、ロケーションレジスタ１３への位置登録を適切に実行することができるのである。
【００８４】
＜Ｃ：変形例＞
以上この発明の一実施形態について説明したが、上記実施形態はあくまでも例示であり、上記実施形態に対しては、本発明の趣旨から逸脱しない範囲で様々な変形を加えることができる。変形例としては、例えば以下のようなものが考えられる。
【００８５】
（１）上記実施形態においては、ロケーションレジスタ１３における位置登録テーブルの登録エリア情報として、各移動機２００についてＬＲ登録要求を送信した交換機１２の交換機ＩＤが記憶されるようにしたが、登録エリア情報として記憶されるのは交換機ＩＤに限られるものではない。例えば、各移動機２００についてＬＲ登録要求が送信されたときに、これらの各移動機２００が在圏していたロケーションエリア１２０に割り当てられた識別情報を、登録エリア情報として記憶するようにしてもよい。要は、各移動機２００について、当該移動機２００を指定したＬＲ登録要求をロケーションレジスタ１３に対して送信してきた交換機１２を特定できる情報であれば、その態様はいかなるものであってもよい。同様に、上記実施形態においては、各交換機１２の位置管理テーブルにおいて、交換機ＩＤを登録実行交換機情報として記憶するようにしたが、これに代えてロケーションレジスタ１３に対するＬＲ登録要求を送信した交換機１２のロケーションエリア１２０に割り当てられた識別情報を記憶するようにしてもよい。要は、登録実行交換機情報の内容を参照することにより、各移動機２００を指定したＬＲ登録要求の送信を実行した交換機１２を特定できればよいのである。
【００８６】
（２）上記実施形態においては、ロケーションエリア１２０を跨いだ移動を行うことを契機として、各移動機２００から端末位置登録要求が送信されるものとしたが、これ以外のタイミングで各移動機２００から端末位置登録要求が送信されるようにしてもよい。すなわち、例えば、各移動機２００が、ロケーションエリア１２０を跨いだ移動を行ったか否かに拘わらず、一定時間間隔ごとに端末位置登録要求を送信するようにしてもよいし、移動機１２０の電源が投入されたタイミングで端末位置登録要求を送信するようにしてもよい。
【００８７】
（３）上記実施形態においては、交換機１２において計時される登録実行時間Ｔ１が終了するタイミングを登録実行タイミングとしたが、かかるタイミングに限られるものではない。例えば、上記実施形態においては、いずれかの移動機２００から端末位置登録要求を受信することにより登録実行時間Ｔ１の計時開始するようにしたが、この端末位置登録要求の受信動作とは全く無関係に特定の時間を計時し、この時間の計時が終了したタイミングを登録実行タイミングとしてもよい。つまり、本発明の「交換機において規定される登録実行タイミング」は、交換機１２が移動機２００からの端末位置登録要求を受信するたびにＬＲ登録要求を送信するといった具合に「移動機２００からの端末位置登録要求の受信動作のみによって規定されるタイミング」ではなくて、「交換機１２における端末位置登録要求の受信動作以外の何らかの動作のみに基づいて規定されるタイミング」または「交換機１２における端末位置登録要求の受信動作と当該受信動作以外の何らかの動作（上記実施形態においては「登録実行時間Ｔ１の計時動作」）の双方に基づいて規定されるタイミング」を意味している。
【００８８】
（４）上記実施形態においては、移動機２００として携帯電話機を用いた場合について説明した。しかしながら、移動通信網を介してデータ通信を行うことができるＰＤＡ（Personal Digital Assistant）やモバイルコンピュータ等を移動機として用いた場合にも本発明を適用可能である。さらに、本発明は、ＰＤＣ（Personal Digital Cellular）方式の移動通信システムのみならず、ＰＨＳ（Personal Handyphone System：登録商標）の移動通信システムなどに対しても適用できることはいうまでもない。また、本発明は、音声通信サービスを提供する移動通信網に限らず、例えばパケット通信サービスを提供する移動通信網にも適用することができる。
【００８９】
【発明の効果】
以上説明したように、本発明によれば、ロケーションレジスタにかかる位置登録処理のための負荷を、有効に軽減することができる。
【図面の簡単な説明】
【図１】  本発明の実施形態に係る移動通信システムの構成を示すブロック図である。
【図２】  同移動通信システムにおける位置登録テーブルの内容を例示する図である。
【図３】  同移動通信システムにおける交換機の構成を示すブロック図である。
【図４】  同移動通信システムにおける交換機１２Ａの記憶部に記憶された位置管理テーブルの内容を例示する図である。
【図５】  同移動通信システムの交換機における各移動機の登録状態の遷移を説明するための図である。
【図６】  同移動通信システムにおける動作を例示するシーケンスチャートである。
【図７】  同移動通信システムにおける交換機の制御部が、登録状態「ＬＲ登録済状態」にある移動機に関して行う処理の内容を示すフローチャートである。
【図８】  同移動通信システムにおける交換機の制御部が、登録状態「空き状態」にある移動機に関して行う処理の内容を示すフローチャートである。
【図９】  同移動通信システムにおいて着信要求が発生した場合の動作を示すシーケンスチャートである。
【図１０】  同移動通信システムにおける交換機の制御部が、登録状態「ＬＲ未登録［自エリア］状態」にある移動機に関して行う処理の内容を示すフローチャートである。
【図１１】  同移動通信システムにおける位置登録処理の内容を例示するシーケンスチャートである。
【図１２】  同移動通信システムにおける交換機の制御部が、登録状態「ＬＲ未登録［他エリア］状態」にある移動機に関して行う処理の内容を示すフローチャートである。
【図１３】  同移動通信システムにおける動作の具体例を示すシーケンスチャートである。
【符号の説明】
１１……無線基地局、１１０……無線エリア、１２，１２Ａ，１２Ｂ，１２Ｃ……交換機、１２１……通信部、１２２……制御部、１２３……記憶部、１２０，１２０Ａ，１２０Ｂ，１２０Ｃ……ロケーションエリア、１３……ロケーションレジスタ、１３１……ホームメモリ、２００……移動機。
【図１】
0003825624.tif 000002
【図２】
0003825624.tif 000003
【図３】
0003825624.tif 000004
【図４】
0003825624.tif 000005
【図５】
0003825624.tif 000006
【図６】
0003825624.tif 000007
【図７】
0003825624.tif 000008
【図８】
0003825624.tif 000009
【図９】
0003825624.tif 000010
【図１０】
0003825624.tif 000011
【図１１】
0003825624.tif 000012
【図１２】
0003825624.tif 000013
【図１３】
0003825624.tif 000014